(57)【特許請求の範囲】
【請求項１】
複数の模様から所望の模様を選択できる手段を備えた刺繍ミシンの模様選択装置において、
色替えモードが選択された時に、当該模様の要素を個別に表示する手段と、前記選択可能な模様について、各模様毎に直接アクセス可能な模様の要素の縫いデータが格納されている模様データ記憶手段と、該表示手段に表示された模様の要素を選択する模様要素選択手段と、選択された模様の要素を組み合わせて記憶する記憶手段と、前記模様要素選択手段の選択に対して、前記模様データ記憶手段の選択された要素の縫いデータにアクセスして、該アクセスされた要素の縫いデータのみを読み出す制御手段とを具備し、組合わせた模様要素のみを縫うようにしたことを特徴とする刺繍ミシンの模様選択装置。
【請求項２】
複数の模様から所望の模様を選択できる手段を備えた刺繍ミシンの模様選択装置において、
色替えモードが選択された時に、当該模様の要素を個別に表示する手段と、前記選択可能な模様について、各模様毎に直接アクセス可能な模様の要素の縫いデータが連続して直接アクセスするためのポインタが付与されて格納されている模様データ記憶手段と、該表示手段に表示された模様の要素を選択する模様要素選択手段と、選択された模様の要素を組み合わせて記憶する記憶手段と、前記模様要素選択手段の選択に対して、前記模様データ記憶手段の選択された要素の縫いデータの前記ポインタにアクセスして、該アクセスされた要素の縫いデータのみを読み出す制御手段とを具備し、組合わせた模様要素のみを縫うようにしたことを特徴とする刺繍ミシンの模様選択装置。
【発明の詳細な説明】
【０００１】
【産業上の利用分野】
この発明は刺繍ミシンの模様選択装置に関し、特に刺繍模様の要素を個別に選択して、あるいは選択した要素を組合わせて縫製することができるようにした刺繍ミシンの模様選択装置に関する。
【０００２】
【従来の技術】
図６は、ミシン模様選択装置を備えた従来のミシンの一例の斜視図を示す。図において、１はミシン模様選択装置を備えたコンピュータミシンを示し、その前面には、透明タッチパネルと液晶板との積層板等で形成された表示部２が配置されている。この表示部２は、基本メニュー表示領域２ａと、任意表示領域２ｂとから構成されており、基本メニュー表示領域２ａには予め定められた基本メニューが固定的に表示される。一方、任意表示領域２ｂには、基本メニュー表示領域２ａで操作者によって選択された基本メニューに付随する表示データ等が表示される。３はＩＣカードであり、複数種類の模様のデータを格納している。
【０００３】
このような構成の従来のミシンにおいて、模様を選択する場合には、操作者は前記表示部２の基本メニュー表示領域２ａにおいて、模様選択モードを選択すると、前記任意表示領域２ｂ上に、複数の模様の選択画面が表示される。ここで、操作者が所望の模様を選択し、次いで色替モードを選択すると、図７に示されているような画面が表示される。すなわち、画面の左上に選択された模様３０が表示され、該模様は各工程毎に１〜５の要素に分解されて表示される。例えば、画面の左上には選択された模様である“リボンがついている花束の模様”が表示され、各工程毎の要素として、１．黄色の花弁、２．緑色の葉と茎、３．ピンク色のリボン、４．橙色の小さい花びら、５．赤色の薔薇の花が表示される。選択模様の切替えは、画面の右下の模様切替キーを押すことにより行うことができる。
【０００４】
この従来の方法によれば、操作者は縫製を希望する模様を複数種類の色の糸を用いて縫うことができる。例えば、上記の例に示した模様を縫製すると、図８に示されてる模様を、５色の糸で縫うことができる。
【０００５】
【発明が解決しようとする課題】
しかしながら、従来の色替モード表示の機能は、予め決められた１つの模様を完成させることだけを想定していたので、例えば、工程４の小さい花びらだけ縫いたい場合には、機能キーの一つである枠前進キーで第４工程の先頭までデータを移動して縫わなければならなかった。このため、模様の要素を独立的に縫う場合には操作が複雑で、かつ時間がかかるという問題があった。
【０００６】
本発明の目的は、前記した従来技術の問題点を除去し、選択された模様の各要素を、単独にあるいは組合わせて、所望の色の糸で簡単に縫うことができる刺繍ミシンの模様選択装置を提供することにある。
【０００７】
【課題を解決するための手段】
前記目的を達成するために、本発明は、複数の模様から所望の模様を選択できる手段を備えた刺繍ミシンの模様選択装置において、
色替えモードが選択された時に、当該模様の要素を個別に表示する手段と、前記選択可能な模様について、各模様毎に直接アクセス可能な模様の要素の縫いデータが格納されている模様データ記憶手段と、該表示手段に表示された模様の要素を選択する模様要素選択手段と、選択された模様の要素を組み合わせて記憶する記憶手段と、前記模様要素選択手段の選択に対して、前記模様データ記憶手段の選択された要素の縫いデータにアクセスして、該アクセスされた要素の縫いデータのみを読み出す制御手段とを具備し、組合わせた模様要素のみを縫うようにしたことを特徴とする刺繍ミシンの模様選択装置とすることにより課題を解決した。
また本発明は、複数の模様から所望の模様を選択できる手段を備えた刺繍ミシンの模様選択装置において、
色替えモードが選択された時に、当該模様の要素を個別に表示する手段と、前記選択可能な模様について、各模様毎に直接アクセス可能な模様の要素の縫いデータが連続して直接アクセスするためのポインタが付与されて格納されている模様データ記憶手段と、該表示手段に表示された模様の要素を選択する模様要素選択手段と、選択された模様の要素を組み合わせて記憶する記憶手段と、前記模様要素選択手段の選択に対して、前記模様データ記憶手段の選択された要素の縫いデータの前記ポインタにアクセスして、該アクセスされた要素の縫いデータのみを読み出す制御手段とを具備し、組合わせた模様要素のみを縫うようにしたことを特徴とする刺繍ミシンの模様選択装置とすることにより課題を解決した。
【０００８】
【作用】
この発明によれば、個別に表示された模様の要素を指で押す等して指定すると、その要素に対する縫いデータが直接アクセスされ、模様データ記憶手段から読み出される。このため、操作者は簡単に模様の要素の縫いデータを読みだし、縫製することができるようになる。
【０００９】
【実施例】
以下に、図面を参照して、本発明を詳細に説明する。図５は本発明のミシンのハード構成を説明するためのブロック図である。
【００１０】
図において、９はミシンの動作の全体を制御する中央処理装置（ＣＰＵ）、１０は前記表示部２に表示されたシンボルマーク等からなる模様選択手段、１１はミシンに始動および停止を指示するためのスタート／ストップキー、１２はマニュアル縫いキー、１３は刺繍幅を設定するための刺繍幅ダイアル、１４は送り方向の幅を設定するための送り方向ダイアル、１５は縫い目設定キーである。また、１６は表示制御回路、１７は表示手段、１８はミシンモータ駆動回路、１９はミシンモータ、２０はミシン針等からなる縫目形成機構、２１はＸ、Ｙモータ駆動回路、２２はＸ、Ｙモータ、２３はＸ、Ｙ駆動機構、２４は刺繍枠である。
【００１１】
また、２５はＲＯＭであり、該ＲＯＭ２５はミシン全体の制御プログラムを記憶する制御プログラム記憶手段、各種の模様の縫目データを記憶する縫い目データ記憶手段、および前記模様等の表示データを記憶する第１表示データ記憶手段から構成されている。２６はＲＡＭであり、該ＲＡＭ２６は各種の設定データを記憶する各種設定記憶手段、演算データを記憶する演算データ記憶手段、および作業用メモリから構成されている。２７は例えばＩＣカード等からなる記憶媒体であり、模様データを記憶する模様データ記憶手段と、これらの模様に対する表示データを記憶する第２表示データ記憶手段から構成されている。該模様データ記憶手段には、模様の要素の縫いデータとこれを何色の糸で縫うかを示す色データが格納されている。２８は模様要素選択手段であり、前記表示手段１７に表示された模様要素に対応する。すなわち、該模様要素は透明タッチパネルと液晶板との積層板上に表示されるので、例えば指で押圧されることにより、選択することができる。
【００１２】
次に、本発明の要部の構成を、図１の説明図を参照して説明する。前記模様データ記憶手段２７は図示されているように、模様要素ポインタ部２７ａと模様データ記憶部２７ｂとからなり、模様要素が選択されると、それに対応するポインタにより、当該模様要素のアドレスに直接アクセスできるように構成されている。
【００１３】
次に、本発明の一実施例の動作を、図２のフローチャートと図３の模様選択画面を参照して説明する。ここに、図３は前記基本メニュー表示領域２ａにおいて、模様選択モードが選択され、次いである模様が選択された後、色替えモードが選択され、続いて模様要素が選択された時の任意表示領域２ｂの表示画面の一例を示す。
【００１４】
ステップＳ１ではまず模様選択画面において、模様が選択されたか否かの判断がなされ、この判断が肯定になると、ステップＳ２に進んで、色替えモードが色替えキー４により選択されたか否かの判断がなされる。この判断が肯定の場合にはステップＳ３に進み、否定の場合にはステップＳ１１に進む。ステップＳ１１では、通常の模様選択後の動作に進む。
【００１５】
ステップＳ３では、模様の要素が選択されたか否かの判断がなされる。例えば図３の第４工程の小さい花びらのキーが押されたか否かの判断がなされる。この要素が押された場合にはステップＳ４に進み、押されなかった場合にはステップＳ１２に進む。ステップＳ１２では、従来と同様の色替えモードの動作、すなわち模様全体を指定された色の糸で順次縫製する動作に進む。なお、前記ステップＳ３が肯定になった時には、選択された模様の要素は表示画面の左上に表示される。
【００１６】
ステップＳ４では、表示画面上の記憶キー６がオンされたか否かの判断がなされる。この判断が肯定の場合にはステップＳ５に進んで、選択された模様の要素と糸の色がメモリ（ＲＡＭ）に記憶される。ステップＳ６では、次の模様の要素が選択されたか否かの判断が行われ、この判断が肯定の場合にはステップＳ４に戻って記憶ボタン６はオンされたか否かの判断が行われる。
【００１７】
前記ステップＳ４およびＳ６の判断が否定の場合には、ステップＳ７に進んで、ミシンのスタートボタンが押されたか否かの判断が行われる。そして、このスタートボタンがオンされると、ステップＳ８に進んで、色替えの模様要素を縫製する動作が行われる。ステップＳ９では、選択された全ての色替え模様要素の縫製は終了したか否かの判断をする。この判断が否定の時にはステップＳ８に戻って次の色替え模様要素の縫製を行う。以上の動作が繰返され、ステップＳ９の判断が肯定になると、ステップＳ１０に進んでミシンの動作を停止する。
【００１８】
以上のように、本実施例によれば、色替えモードを選択し、模様の要素を選択するという簡単な操作をするだけで、選択された模様要素が一つの場合には単独に、二つ以上の場合にはこれらを組合わせて縫製することができるという効果がある。
【００１９】
例えば、図３に示されているように、工程１の要素と工程４の要素とを選択し記憶させて、ミシンのスタートボタンを押すと、花弁と小さい花びらの部分だけを簡単に縫うことができる。図４は小さい花びらの部分のみを選択して縫製した時の作品例である。
【００２０】
【発明の効果】
以上の説明から明らかなように、本発明によれば、個別に表示された模様の要素を、例えば指で押す等して選択するだけで、該要素に対応する模様データが直接記憶装置から読み出され、縫製手段に送られる。このため、操作者は簡単な操作により、好みの模様の要素を個別に、あるいは複数個の模様要素を組合わせて縫うことができる。
【図面の簡単な説明】
【図１】  本発明の要部を示す説明図である。
【図２】  本発明の一実施例の動作を説明するフローチャートである。
【図３】  本実施例の表示画面の一例を示す図である。
【図４】  選択された模様要素を用いて縫製した時の作品例を示す図である。
【図５】  本発明が適用されるミシンのハード構成を示すブロック図である。
【図６】  本発明が適用されるミシンの一例の斜視図である。
【図７】  従来の色替えモード選択時の表示画面の一例を示す図である。
【図８】  図７の模様の全体を示す詳細図である。
【符号の説明】
９…中央処理装置、１０…模様選択装置、２７…記憶媒体、２８…模様要素選択手段、２７ａ…模様要素ポインタ部、２７ｂ…模様データ記憶部。
【図１】
0003846907.tif 000002
【図２】
0003846907.tif 000003
【図３】
0003846907.tif 000004
【図７】
0003846907.tif 000005
【図４】
0003846907.tif 000006
【図５】
0003846907.tif 000007
【図６】
0003846907.tif 000008
【図８】
0003846907.tif 000009